(57)【要約】【課題】内燃機関のシリンダ室内に噴射される燃料をスパークプラグにより微粒化することを効果的に達成する燃料噴射装置を提供する。【解決手段】燃料が導入される室空間と、室空間より燃料を噴出する燃料噴射孔とを備えた燃料噴射装置に於いて、燃料噴射孔にはそれを貫通する軸部と軸部の一端に連結されて燃料噴射孔を出口側から開閉する弁皿部と室空間内にあって軸部の他端に連結された受圧部とを有する弁体が組み付けられ、弁体は弁皿部にて燃料噴射孔を閉じる位置へばねにより付勢されており、受圧部に対向する位置にて室空間内の燃料に火花を付加するスパークプラグが設けられている。【選択図】図１
2017089568.tif 000002
【特許請求の範囲】
【請求項１】
燃料が導入される室空間と、該室空間より燃料を噴出する燃料噴射孔とを備えた燃料噴射装置にして、前記燃料噴射孔にはそれを貫通する軸部と前記軸部の一端に連結されて前記燃料噴射孔を出口側から開閉する弁皿部と前記室空間内にあって前記軸部の他端に連結された受圧部とを有する弁体が組み付けられ、前記弁体は前記弁皿部にて前記燃料噴射孔を閉じる位置へばねにより付勢されており、前記受圧部に対向する位置にて前記室空間内の燃料に火花を付加するスパークプラグ、および前記スパークプラグに通電して火花を発生させる電源装置が設けられていることを特徴とする燃料噴射装置。
【発明の詳細な説明】
【技術分野】
【０００１】
本発明は、内燃機関のシリンダ室内に燃料を噴射する燃料噴射装置に係る。
【背景技術】
【０００２】
内燃機関のシリンダ室内に噴射される燃料を微粒化すべく、燃料噴射孔より噴射された燃料にスパークプラグの火花により生じた荷電粒子にアンテナより電磁波を照射したものを噴き付ける構造が、下記の特許文献１に於いて提案されている。
【先行技術文献】
【特許文献】
【０００３】
【特許文献１】特開２０１４-６２５５１号公報
【発明の概要】
【発明が解決しようとする課題】
【０００４】
本発明は、内燃機関のシリンダ室内に噴射される燃料をスパークプラグにより微粒化することをより効果的に達成する燃料噴射装置を提供することを課題としている。
【課題を解決するための手段】
【０００５】
上記の課題を解決すべく、本発明は、燃料が導入される室空間と、該室空間より燃料を噴出する燃料噴射孔とを備えた燃料噴射装置にして、前記燃料噴射孔にはそれを貫通する軸部と前記軸部の一端に連結されて前記燃料噴射孔を出口側から開閉する弁皿部と前記室空間内にあって前記軸部の他端に連結された受圧部とを有する弁体が組み付けられ、前記弁体は前記弁皿部にて前記燃料噴射孔を閉じる位置へばねにより付勢されており、前記受圧部に対向する位置にて前記室空間内の燃料に火花を付加するスパークプラグ、および前記スパークプラグに通電して火花を発生させる電源装置が設けられていることを特徴とする燃料噴射装置を提案するものである。
【発明の効果】
【０００６】
上記の如く、燃料が導入される室空間と、該室空間より燃料を噴出する燃料噴射孔とを備えた燃料噴射装置に於いて、前記燃料噴射孔にはそれを貫通する軸部と前記軸部の一端に連結されて前記燃料噴射孔を出口側から開閉する弁皿部と前記室空間内にあって前記軸部の他端に連結された受圧部とを有する弁体が組み付けられ、前記弁体は前記弁皿部にて前記燃料噴射孔を閉じる位置へばねにより付勢されており、前記受圧部に対向する位置にて前記室空間内の燃料に火花を付加するスパークプラグ、および前記スパークプラグに通電して火花を発生させる電源装置が設けられていれば、適時の通電により前記スパークプラグにて火花を発生させ、該火花により生じた圧力波を前記受圧部に作用させて前記弁体を開弁方向へ駆動し、前記燃料噴射孔より燃料を高圧にて噴出させることにより、噴射された燃料を効果的に微粒化することができる。またかかる構造によれば、スパークプラグに負荷する電気エネルギの大きさを変えることにより前記室空間内の燃料に加わる加圧度および前記受圧部に作用する圧力波の強さを変えることができ、前記電源装置の制御により、燃料噴射のタイミングだけでなく、燃料の噴射量および微粒化度合を制御することができる。
【図面の簡単な説明】
【０００７】
【図１】本発明による燃料噴射装置をそれに燃料を供給する燃料供給源と共に一つの実施例について示す概略図である。
【図２】図１に示す燃料噴射装置の要部を燃料噴射状態に於いて示す概略図である。
【発明を実施するための形態】
【０００８】
図１に示す燃料噴射装置に於いては、燃料が導入される室空間１０と、該室空間より燃料を噴出する燃料噴射孔１２とは、箱体１４により提供されている。燃料噴射孔１２には、それを貫通する軸部１６と、該軸部の一端に連結されて燃料噴射孔１２を出口側から開閉する弁皿部１８と、室空間１０内にあって軸部１６の他端に連結された受圧部２０とを有する弁体２２が組み付けられ、弁体２２は弁皿部１８にて燃料噴射孔１２を閉じる位置へばね２４により付勢されている。図示の実施例では、燃料噴射孔１２は上流側から下流側へ向けて拡径したテーパ状の孔とされており、これに対応して弁皿部１８は軸部１６との連結部より外周縁へ向けて拡径した円錐体とされている。
【０００９】
室空間１０には、燃料タンク２６より燃料ポンプ２８および燃料供給導管３０を経て燃料が供給され、燃料が充たされる。また室空間１０より余剰の燃料が燃料戻り導管３２を経て燃料タンク２６へ戻され、その途中に設けられた圧力制御弁３３により燃圧が制御されるようになっている。
【００１０】
箱体１４には、受圧部２０に対向する位置にて室空間１０内の燃料に火花を付加するスパークプラグ３４が設けられており、電源装置３６より制御された電圧および電流による電気が適時に供給されるようになっている。
【００１１】
電源装置３６は、点火ユニット３８とエネルギユニット４０とを含んでいる。点火ユニット３８は、点火トリガ装置４２を備え、点火トリガ装置４２は図には示されていない制御装置から送られてくる点火信号に基づいて出力端子４４にプラスの放電電圧を発生し、この放電電圧が第一のダイオード４６を経てスパークプラグ３４に印加され、これに放電を起こさせるようになっている。一方、エネルギユニット４０では、コンデンサ４８が電源装置５０により常時チャージされるようになっている。コンデンサ４８の接地側に対向する端子は、第二のダイオード５２を経てスパークプラグ３４に接続されているが、電源装置５０によるコンデンサ４８のチャージは、それ単独ではスパークプラグ３４を放電させることはできない設定とされている。しかし、点火トリガ装置４２の起動によりスパークプラグ３４の放電が開始されると、コンデンサ４８のチャージは点火トリガ装置４２からの放電電流に上乗せされる形にてスパークプラグ３４にて放電され、放電の火花が強められる。
【００１２】
図２に解図的に示す如く、スパークプラグ３４が通電により火花を発生させると、該火花により生じた圧力波５４が受圧部２０に作用し、弁体２２は開弁方向へ駆動されるので、室空間１０内の燃料は加圧されると同時に燃料噴射孔１２より噴出し、燃料噴射孔１２を通る加圧噴射により微粒化される。この場合、燃料噴射のタイミングは勿論スパークプラグ３４への電気エネルギの負荷のタイミングによって制御されるが、更にスパークプラグへ負荷する電気エネルギの大きさを変えることにより室空間１０内の燃料に加わる加圧度および受圧部２０に作用する圧力波の強さを変えることができ、電源装置３６に於いてスパークプラグへ負荷する電気の電圧および電流を制御することにより、燃料の噴射量および微粒化度合を制御することができる。
【００１３】
以上に於いては本発明を一つの実施例について詳細に説明したが、かかる実施例について本発明の範囲内にて種々の変更が可能であることは当業者にとって明らかであろう。
【符号の説明】
【００１４】
１０…室空間、１２…燃料噴射孔、１４…箱体、１６…軸部、１８…弁皿部、２０…受圧部、２２…弁体、２４…ばね、２６…燃料タンク、２８…燃料ポンプ、３０…燃料供給導管、３２…燃料戻り導管、３３…圧力制御弁、３４…スパークプラグ、３６…電源装置、３８…点火ユニット、４０…エネルギユニット、４２…点火トリガ装置、４４…出力端子、４６…ダイオード、４８…コンデンサ、５０…電源装置、５２…ダイオード、５４…圧力波
【図１】
2017089568.tif 000003
【図２】
2017089568.tif 000004